【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
複数のアンテナを有し、各アンテナからそれぞれ独立したチャネルの変調信号を送信する送信装置であって、
各アンテナから送信する変調信号を形成する変調部と、
前記送信信号を受信する受信装置から、前記各変調信号が受信された際の各チャネルのチャネル変動値に基づくフィードバック情報を受信する受信部と、
対応するチャネルの前記フィードバック情報に基づいて、各送信チャネルの送信電力を各チャネル独立に制御して、各アンテナから送信する変調信号の送信電力を各アンテナ独立に変更する送信電力制御部と
を具備する送信装置。
【請求項２】
前記フィードバック情報は、前記送信装置の各アンテナと前記受信装置の各アンテナ間での各変調信号のチャネル変動を示す情報、及び前記受信装置の各アンテナの受信電界強度を示す情報を含み、
前記送信電力制御部は、前記チャネル変動値及び前記受信電界強度に基づいて、前記各送信チャネルの送信電力を各チャネル独立に制御する
請求項１に記載の送信装置。
【請求項３】
前記送信電力制御部は、
前記独立した各チャネルの変調信号に、
対応するチャネルの前記チャネル変動値に基づいて求めた乗算係数と、前記送信装置の各アンテナと前記受信装置の各アンテナ間での各変調信号のチャネル変動値を要素とするチャネル変動行列の固有値から求めた乗算係数と、
をそれぞれ各チャネル独立に乗じることで、各送信チャネルの送信電力を各チャネル独立に制御する
請求項１に記載の送信装置。
【請求項４】
前記変調部は、前記変調信号としてＯＦＤＭ信号を形成し、
前記フィードバック情報は、各チャネル及び各キャリアごとの、チャネル変動値に基づく情報を含み、
前記送信電力制御部は、前記各チャネル及び各キャリアごとの前記フィードバック情報に基づいて、各チャネル及び各サブキャリア独立に送信電力を制御する
請求項１に記載の送信装置。
【請求項５】
前記変調部は、前記変調信号としてＯＦＤＭ信号を形成し、
前記フィードバック情報は、各チャネル及び各キャリアごとの、前記チャネル変動及び前記受信電界強度に基づく情報を含み、
前記送信電力制御部は、前記各チャネル及び各キャリアごとの、前記フィードバック情報に基づいて、各チャネル及び各サブキャリア独立に送信電力を制御する
請求項２に記載の送信装置。
【請求項６】
複数のアンテナを有し各アンテナからそれぞれ独立したチャネルの変調信号を送信する送信装置と、前記複数アンテナから送信された変調信号を受信して各変調信号を復調する受信装置とを有する通信システムであって、
前記送信装置は、
各アンテナから送信する変調信号を形成する変調部と、
前記受信装置から、前記各変調信号が受信された際の各チャネルのチャネル変動値に基づくフィードバック情報を受信する受信部と、
対応するチャネルの前記フィードバック情報に基づいて、各送信チャネルの送信電力を各チャネル独立に制御して、各アンテナから送信する変調信号の送信電力を各アンテナ独立に変更する送信電力制御部と
を具備し、
前記受信装置は、
受信した前記複数の変調信号それぞれのチャネル変動値を推定するチャネル変動推定部と、
推定されたチャネル変動値に基づいて前記変調信号の実効受信電力値を求める実効受信電力算出部と、
算出された実効受信電力値を用いて受信信号の復調処理を行う復調部と
を具備する
通信システム。
【請求項７】
前記実効受信電力算出部は、前記チャネル変動値を要素とするチャネル変動行列の固有値を算出し、当該固有値を前記実効受信電力値の指標とし、
前記復調部は、前記固有値を用いて受信信号の復調処理を行う
請求項６に記載の通信システム。
【請求項８】
前記実効受信電力算出部は、前記チャネル変動値に加えてアンテナでの受信電界強度を用いて前記変調信号の実効受信電力を求める
請求項６に記載の通信システム。
【請求項９】
複数のアンテナからそれぞれ異なる変調信号を送信する送信装置と、前記複数アンテナから送信された変調信号を複数のアンテナで受信して各変調信号を復調する受信装置とを有する通信システムに用いられる受信装置であって、
受信した前記複数の変調信号それぞれのチャネル変動値を推定するチャネル変動推定部と、
前記チャネル変動値を要素とするチャネル変動行列の固有値を算出する固有値算出部と、
算出された固有値を用いて受信信号の復調処理を行う復調部と
を具備し、
前記固有値算出部は、前記固有値を算出するにあたって、前記複数のアンテナ受信信号の組み合わせを作り、各組み合わせごとにチャネル変動行列を形成し、組み合わせごとのチャネル行列の固有値を算出し、
前記復調部は、前記固有値の最小パワーが最も大きい組み合わせのアンテナ受信信号を選択して復調処理を行う
受信装置。
【請求項１０】
複数のアンテナからそれぞれ異なる変調信号を送信する送信装置と、前記複数アンテナから送信された変調信号を複数のアンテナで受信して各変調信号を復調する受信装置とを有する通信システムに用いられる受信装置であって、
受信した前記複数の変調信号それぞれのチャネル変動値を推定するチャネル変動推定部と、
前記チャネル変動値を要素とするチャネル変動行列の固有値を算出する固有値算出部と、
算出された固有値を用いて受信信号の復調処理を行う復調部と
を具備し、
前記固有値算出部は、前記固有値を算出するにあたって、前記複数のアンテナ受信信号の組み合わせを作り、各組み合わせごとにチャネル行列を形成し、組み合わせごとのチャネル行列の固有値を算出し、
前記復調部は、各組み合わせのアンテナ受信信号とその組み合わせに対応する前記チャネル行列を使って各変調信号を分離すると共に、各組み合わせで分離した変調信号を分離の際に用いたチャネル行列の固有値を使って重み付け合成する
受信装置。
【請求項１１】
複数のアンテナからそれぞれ異なる変調信号を送信する送信装置と、前記複数アンテナから送信された変調信号を複数のアンテナで受信して各変調信号を復調する受信装置とを有する通信システムに用いられる受信装置であって、
受信した前記複数の変調信号それぞれのチャネル変動値を推定するチャネル変動推定部と、
前記チャネル変動値を要素とするチャネル変動行列の固有値を算出する固有値算出部と、
算出された固有値を用いて受信信号の復調処理を行う復調部と
を具備し、
前記復調部は、前記固有値を用いて重み付けた軟判定値を算出する軟判定値計算部と、重み付けられた軟判定値からディジタル信号を得る復号部と、を具備する
受信装置。
【請求項１２】
複数のアンテナからそれぞれ異なる変調信号を送信する送信装置と、前記複数アンテナから送信された変調信号を複数のアンテナで受信して各変調信号を復調する受信装置とを有する通信システムに用いられる受信装置であって、
受信した前記複数の変調信号それぞれのチャネル変動値を推定するチャネル変動推定部と、
前記チャネル変動値を要素とするチャネル変動行列の固有値を算出する固有値算出部と、
前記各アンテナでの受信信号の受信電界強度を検出する受信電界強度検出部と、
各アンテナ受信信号の受信電界強度に応じて補正した前記固有値を用いて受信信号の復調処理を行う復調部と
を具備する受信装置。
【請求項１３】
前記固有値算出部は、各アンテナ受信信号の受信電界強度に基づき前記各チャネル変動値のパワーが等しくなるように前記チャネル変動行列を補正し、補正したチャネル変動行列を用いて前記固有値を算出する
請求項１２に記載の受信装置。
【請求項１４】
前記受信装置は、
前記各アンテナ受信信号の信号レベルを検出し、前記各アンテナ受信信号の信号レベルを等しくする受信レベル制御部を具備する
請求項６に記載の通信システム。
【請求項１５】
複数のアンテナを有し、各アンテナからそれぞれ独立したチャネルの変調信号を送信する送信方法であって、
各アンテナから送信する変調信号を形成する変調ステップと、
前記送信信号を受信する受信装置から、前記各変調信号が受信された際の各チャネルのチャネル変動値に基づくフィードバック情報を受信する受信ステップと、
対応するチャネルの前記フィードバック情報に基づいて、各送信チャネルの送信電力を各チャネル独立に制御して、各アンテナから送信する変調信号の送信電力を各アンテナ独立に変更する送信電力制御ステップと
を含む送信方法。
【手続補正２】
【補正対象書類名】明細書
【補正対象項目名】発明の名称
【補正方法】変更
【補正の内容】
【発明の名称】送信装置、受信装置、通信システム及び送信方法
【手続補正３】
【補正対象書類名】明細書
【補正対象項目名】０００１
【補正方法】変更
【補正の内容】
【０００１】
本発明は、送信装置、受信装置、通信システム及び送信方法に関し、特にマルチアンテナを用いた無線通信システムに適用される送信装置、受信装置、送信方法及びその通信システムに関するものである。
【手続補正４】
【補正対象書類名】明細書
【補正対象項目名】０００６
【補正方法】変更
【補正の内容】
【０００６】
本発明はかかる点を考慮してなされたもので、各変調信号の分離処理を含む復調精度を向上させて受信データの誤り率特性を向上し得る送信装置、受信装置、通信システム及び送信方法を提供することを目的とする。
【手続補正５】
【補正対象書類名】明細書
【補正対象項目名】００１１
【補正方法】変更
【補正の内容】
【００１１】
このように本発明によれば、マルチアンテナを用いた無線通信システムにおいて、複数アンテナから送信された複数の変調信号の実効受信電力を考慮した復調処理及び送信処理を行うようにしたことにより、各変調信号の分離処理を含む復調の精度を向上させて受信データの誤り率特性を向上させることができる送信装置、受信装置、通信システム及び送信方法を実現できる。